(57)【要約】【課題】表示装置での画像データの表示が撮影準備及び撮影処理に与える影響を低減させる。【解決手段】ＣＰＵ１０５は、撮影準備中及び撮影期間中のうちの少なくとも何れか一方の期間である第１の期間とその他の期間である第２の期間との間において異なる表示態様となる画像データを外部表示装置１２０に送信させる。【選択図】図１
2011040950.tif 000002
【特許請求の範囲】
【請求項１】
撮像手段と、
表示装置に対して画像データを送信する送信手段と、
撮影準備中及び撮影期間中のうちの少なくとも何れか一方の期間である第１の期間において、その他の期間である第２の期間に送信される画像データよりも明るさを抑制した画像データが前記送信手段によって送信されるよう制御する制御手段とを有することを特徴とする撮像装置。
【請求項２】
前記制御手段は、前記第２の期間に送信される画像データの表示領域より前記第１の期間に送信される画像データの表示領域を小さくすることを特徴とする請求項１に記載の撮像装置。
【請求項３】
前記制御手段は、前記第１の期間において前記表示装置の一部又は全部を暗色に表示する画像データを送信することを特徴とする請求項１に記載の撮像装置。
【請求項４】
被写体から反射した光を測光する測光手段と、
前記測光手段により測光された反射光の変化を検出する検出手段とを更に有し、
前記制御手段は、さらに前記検出手段による検出の結果に応じて、前記送信手段が送信する画像データを制御する請求項１に記載の撮像装置。
【請求項５】
前記送信手段は、前記撮像手段により撮像された画像データを前記表示装置に送信することを特徴とする請求項１乃至４の何れか１項に記載の撮像装置。
【請求項６】
撮像手段と、
外部に設置される外部表示装置と当該撮像装置に設置される内部表示装置とに画像データを送信することが可能な送信手段と、
撮影準備中及び撮影期間中のうちの少なくとも何れか一方の期間である第１の期間とその他の期間である第２の期間との間において前記送信手段による画像データの送信先を切り替える制御手段とを有することを特徴とする撮像装置。
【請求項７】
前記制御手段は、前記第１の期間において画像データを前記内部表示装置に対して送信し、前記第２の期間において画像データを前記外部表示装置に対して送信することを特徴とする請求項６に記載の撮像装置。
【請求項８】
被写体から反射した光を測光する測光手段と、
前記測光手段により測光された反射光の変化を検出する検出手段とを更に有し、
前記制御手段は、前記検出手段による検出の結果に応じて、前記第１の期間と前記第２の期間との間において画像データの送信先を切り替えることを特徴とする請求項６又は７に記載の撮像装置。
【請求項９】
前記送信手段は、前記撮像手段により撮像された画像データを前記外部表示装置及び前記内部表示装置に送信することを特徴とする請求項６乃至８の何れか１項に記載の撮像装置。
【請求項１０】
撮像手段を有する撮像装置の制御方法であって、
撮影準備中及び撮影期間中のうちの少なくとも何れか一方の期間である第１の期間において、その他の期間である第２の期間に送信される画像データよりも明るさを抑制した画像データが送信手段によって表示装置に対して送信されるよう制御する制御ステップを含むことを特徴とする撮像装置の制御方法。
【請求項１１】
撮像手段を有する撮像装置の制御方法であって、
撮影準備中及び撮影期間中のうちの少なくとも何れか一方の期間である第１の期間とその他の期間である第２の期間との間において、外部に設置される外部表示装置を送信手段による画像データの送信先とするか、当該撮像装置に設置される内部表示装置を送信手段による画像データの送信先とするか切り替える制御ステップを含むことを特徴とする撮像装置の制御方法。
【請求項１２】
撮像手段を有する撮像装置の制御方法をコンピュータに実行させるためのプログラムであって、
撮影準備中及び撮影期間中のうちの少なくとも何れか一方の期間である第１の期間において、その他の期間である第２の期間に送信される画像データよりも明るさを抑制した画像データが送信手段によって表示装置に対して送信されるよう制御する制御ステップをコンピュータに実行させるためのプログラム。
【請求項１３】
撮像手段を有する撮像装置の制御方法をコンピュータに実行させるためのプログラムであって、
撮影準備中及び撮影期間中のうちの少なくとも何れか一方の期間である第１の期間とその他の期間である第２の期間との間において、外部に設置される外部表示装置を送信手段による画像データの送信先とするか、当該撮像装置に設置される内部表示装置を送信手段による画像データの送信先とするか切り替える制御ステップをコンピュータに実行させるためのプログラム。
【発明の詳細な説明】
【技術分野】
【０００１】
本発明は、表示装置における画像データの表示が撮影準備や撮像処理に与える影響を低減させるための技術に関するものである。
【背景技術】
【０００２】
近年、デジタルカメラ等の撮像装置とパーソナルコンピュータやテレビ等を接続してリモート撮影が行われている。リモート撮影により、カメラと接続する外部表示装置にＥＶＦ画像を映すことや撮影した画像を楽しむことが可能となっている。一方で、テレビ等の外部表示装置は映像を表示する際に発光しており、カメラで撮影する際に被写体に映りこみが生じ、適切な露出やホワイトバランスを妨げる等の問題が考えられる。
【０００３】
この問題に対して、被写体を撮像する場合、表示装置による表示が撮影画像に映るのを防ぐために表示装置の画面を撮影する瞬間だけ一時的に暗色表示する技術が開示されている(例えば、特許文献１参照)。また、液晶ディスプレイ等の光により被写体からの反射光が適切な露出を妨げることのないように撮像装置の光源を制御する技術も開示されている(例えば、特許文献２参照)。
【先行技術文献】
【特許文献】
【０００４】
【特許文献１】特開２００３−６０９３９号公報
【特許文献２】特開２００４−２２２０３７号公報
【発明の概要】
【発明が解決しようとする課題】
【０００５】
しかしながら、特許文献１に開示される技術では撮影中は常に暗色表示する手法をとっているため、周囲の状況を判断して表示を変更させる手段を持っておらず、撮影に影響ない場合でも表示を切り替えてしまう。また、撮影者は任意のタイミングで表示を抑制することや撮影をやり直すことができない。
【０００６】
また、特許文献２に開示される技術では撮影時の適切な露出を妨げる恐れのある液晶ディスプレイのバックライトを点灯させないように映像表示をオフするため、画角を合わせながらの撮影ができないという問題があった。
【０００７】
そこで、本発明の目的は、表示装置での画像データの表示が撮影準備及び撮影処理に与える影響を低減させることにある。
【課題を解決するための手段】
【０００８】
本発明の撮像装置は、撮像手段と、表示装置に対して画像データを送信する送信手段と、撮影準備中及び撮影期間中のうちの少なくとも何れか一方の期間である第１の期間において、その他の期間である第２の期間に送信される画像データよりも明るさを抑制した画像データが前記送信手段によって送信されるよう制御する制御手段とを有することを特徴とする。
【発明の効果】
【０００９】
本発明においては、撮影準備中及び撮影期間中のうちの少なくとも何れか一方の期間において、その他の期間に送信される画像データよりも明るさを抑制した画像データが表示装置に送信されるように構成している。従って、本発明によれば、表示装置での画像データの表示が撮影準備及び撮影処理に与える影響を低減させることが可能となる。
【図面の簡単な説明】
【００１０】
【図１】本発明の第１の実施形態に係る撮像装置の構成を示すブロック図である。
【図２】本発明の第１の実施形態に係る撮像装置の動作を示すフローチャートである。
【図３】本発明の第１の実施形態に係る撮像装置が接続されるシステム構成を示す図である。
【図４】ステップＳ２０４の撮影準備の詳細を示すフローチャートである。
【図５】外部表示装置を暗色表示にした状態の例を示す図である。
【図６】本発明の第２の実施形態に係る撮像装置の動作の流れを示すフローチャートである。
【図７】外部表示装置において輝度を落とした映像を表示した状態の例を示す図である。
【図８】本発明の第３の実施形態に係る撮像装置の動作の流れを示すフローチャートである。
【図９】ステップＳ２０９の撮影処理の流れを示すフローチャートである。
【図１０】本発明の第４の実施形態に係る撮像装置の動作の流れを示すフローチャートである。
【図１１】本発明の第４の実施形態における外部表示装置の表示制御の例を示す図である。
【発明を実施するための形態】
【００１１】
以下、本発明を適用した好適な実施形態を、添付図面を参照しながら詳細に説明する。
【００１２】
＜第１の実施形態＞
先ず、本発明の第１の実施形態について説明する。
図１は、本発明の第１の実施形態に係るデジタルカメラ等の撮像装置の構成を示すブロック図である。図１において、１００はレンズである。１０１は露出の調整を行う絞りである。１０２はレンズ１００、絞り１０１を通って入射した被写体光学像を電気信号に変換する撮像素子である。１０３は撮像素子１０２から出力される電気信号をデジタル信号に変換するＡ／Ｄ変換部である。１０４はＡ／Ｄ変換部１０３から出力されるデジタル信号を画像処理するデジタル信号処理部である。デジタル信号処理部１０４ではホワイトバランスの調整やゲイン調整等の演算処理を撮影した画像データに対して行う。１０５はシステムを制御するＣＰＵである。ＣＰＵ１０５は、ＡＦ(オートフォーカス)処理やＡＥ(自動露出)処理やＡＷＢ(オートホワイトバランス)処理を行う。１０６は絞り制御部であり、測光制御部１０８からの測光情報に基づき絞り１０１を制御する。測光制御部１０８は撮影環境内の光を受けて被写体が反射している光を測る。レンズ駆動部１０７はレンズ１００の位置を調整することができ、焦点調節部１０９で合焦であるかを判断する。１１０はＣＰＵ１０５への指示を行う撮像装置の操作部であり、例えばシャッタスイッチ等がある。１１１は撮像装置に設置される内部表示装置１１８と撮像装置の外部に設置される外部表示装置１２０とのどちらに映像を出力するかを決める表示装置選択部である。１１２は様々なメモリとのインタフェースを行うメモリ制御部であり、メモリ１１３、記録媒体１１４と接続する。１１３は撮影したデータを一時的に保存しておくメモリ、１１４はデジタル信号処理部により処理された画像を保存する記録媒体である。１１５はＶＲＡＭ制御部である。ＶＲＡＭ制御部１１５はメモリ制御部１１２を介してメモリ１１３から画像データを読み出し、表示装置選択部１１１により選択された表示装置の形式に合わせた画像データをＶＲＡＭ１１６に書き込む。ＶＲＡＭ１１６は表示装置に表示するためのデータを保持するメモリである。１１７はＤ／Ａ変換部であり、ＶＲＡＭ制御部１１５よりＶＲＡＭ１１６が保持しているデータを読み出し、デジタル信号をアナログ信号に変換し、表示装置選択部１１１で選択されている表示装置へ出力する。１１９は外部映像出力部であり、外部表示装置１２０との接続を行う。なお、外部映像出力部１１９は、本発明の送信手段の適用例となる構成である。また、撮像素子１０２は、本発明の撮像手段の適用れとなる構成である。
【００１３】
図３は、本発明の第１の実施形態に係る撮像装置が接続されるシステム構成を示す図である。図３において、３１は撮像装置である。３２は撮像装置３１からの映像信号を送るインタフェースであり、例えばＨＤＭＩ等が挙げられる。３３は撮像装置３１から出力された映像を表示するテレビである。３４は撮像装置３１で撮影される被写体である。
【００１４】
図３に示すシステム構成において被写体３４にテレビ３３が発する光があたってしまうことが考えられる。このような場合、被写体表面の反射率が高いものであるとテレビ３３の表示が映りこんでしまうことや被写体３４が人物だと目の中にテレビ３３が映りこんでしまうといった問題が生じる。白熱灯の環境下でテレビ３３という異なった色温度の光源がある場合に撮影を行うとする。異なる色温度の光源が存在する場合でもホワイトバランスは一つにしか設定できない。そのためホワイトバランスを白熱灯に合わせると、テレビ３３の光によって被写体の一部分が色かぶりを起こしてしまう。このようにテレビ３３の発する光によって適切な撮影ができないという問題がおきてしまう。
【００１５】
図２は、本実施形態に係る撮像装置の動作を示すフローチャートである。以下、図２を参照しながら本実施形態に係る撮像装置の動作について説明する。なお、初期状態として映像出力先は表示装置選択部１１１で外部表示装置１２０に設定されているものとする。
【００１６】
先ずステップＳ２０１において、ＣＰＵ１０５は外部表示装置１２０へのＥＶＦ画像表示を開始する。即ち、ＣＰＵ１０５は、撮像素子１０２から電荷信号を読み出し、Ａ／Ｄ変換部１０３でデジタル信号に変換した信号をデジタル信号処理部１０４に逐次読み込ませる。続いて、ＣＰＵ１０５は、デジタル信号処理部１０４、ＶＲＡＭ制御部１１５等を介して画像データをＶＲＡＭ１１６へ書き込む。続いて、ＣＰＵ１０５は、ＶＲＡＭ制御部１１５を制御してＶＲＡＭ１１６から画像データを読み出させ、Ｄ／Ａ変換部１１７を介して画像データを外部表示装置１２０に逐次表示する。これによりライブビュー表示が可能になる。
【００１７】
続くステップＳ２０２において、ＣＰＵ１０５はＳＷ１が押されているか否かを判定する。ＳＷ１が押されていなければステップＳ２０１に戻る。ＳＷ１が押されていれば、ステップＳ２０３においてＣＰＵ１０５はＶＲＡＭ１１６に書き込むデータを暗色表示データに切り替える。ここでは暗色表示として輝度レベルが０の画像データを使用し、外部表示装置１２０へ出力するＶＲＡＭ１１６のデータを暗色に書き換える。続いて、ＣＰＵ１０５は、書き換えられたＶＲＡＭ１１６のデータをＶＲＡＭ制御部１１５に読み込ませ、Ｄ／Ａ変換部１１７、外部映像出力部１１９を介して外部映像装置１２０に出力させる。これにより、映像を暗色に切り替えることができる。Ｓ２０３は、本発明の制御手段の処理例である。
【００１８】
以上のようにして暗色表示をした状態のままステップＳ２０４で撮影準備に取り掛かる。外部表示装置１２０を暗色表示にした状態の例を図５に示す。５１は暗色表示制御前の外部表示装置１２０の状態を示しており、５２は映像出力を暗色表示制御した場合の外部表示装置１２０の状態を示しており、外部表示装置１２０の全部の表示領域が暗色表示されている。なお、ステップＳ２０４の撮影準備期間は、本発明の第１の期間の一例である。
【００１９】
図４は、ステップＳ２０４の撮影準備の詳細を示すフローチャートである。なお、撮影準備とはＡＥ処理やＡＦ処理のことをいう。ステップＳ４０１において、ＣＰＵ１０５は撮像素子１０２から電荷信号を読み出し、Ａ／Ｄ変換部１０３でデジタル信号に変換した信号をデジタル信号処理部１０４に逐次読み込ませる。この読み込まれた画像データを用いてＡＦ処理やＡＥ処理が行われる。
【００２０】
続くステップＳ４０２において、ＣＰＵ１０５は、焦点調節部１０９に画像データが合焦であるかどうかを判断させる。合焦でないと判断された場合、ステップＳ４０３において、ＣＰＵ１０５はレンズ駆動部１０７にレンズ１００を駆動させてＡＦ制御を行う。焦点調節部１０９はその後再び画像データを読み込んで、レンズ１００を駆動した結果が合焦であるかを判断する。合焦であると判断されると、ＣＰＵ１０５はレンズ１００の位置を決定し、ステップＳ４０４でステップＳ４０１と同様の処理を行う。
【００２１】
続くステップＳ４０５において、ＣＰＵ１０５は露出が適正であるかを判断する。適正でないと判断された場合、ステップＳ４０６において、ＣＰＵ１０５は測光制御部１０８にＡＥ制御を行わせる。測光制御部１０８ではＡＥ制御における測光を行っている。測光方法としては、平均測光、中央部重点測光、マルチパターン測光（分割測光、評価測光）等がある。ＡＥ制御では測光方法に基づいたエリア内の反射光情報から抽出した輝度により露出の調整をしている。外部表示装置１２０の発光を被写体３４が受けた場合、被写体３４からの反射光情報から抽出した輝度が映像出力前後で変化することで、不適切な露出となり、撮影者の望む画像が得られなくなってしまう。そこで、外部表示装置１２０を暗色表示させることにより輝度の変化が抑えられ、適切なＡＥ制御が実行できる。露出が適正であると判断された場合、絞り、シャッタスピードを設定して撮影準備を終了する。
【００２２】
撮影準備が終了すると、ステップＳ２０５において、ＣＰＵ１０５は暗色表示をオフにしてライブビュー表示を再開する。撮像素子１０２から読み出され、デジタル信号処理部１０４で生成された画像データはＶＲＡＭ制御部１１５によってＶＲＡＭ１１６に書き込まれる。このＶＲＡＭ１１６のデータを読み出すことで再びライブビュー表示が可能である。
【００２３】
続くステップＳ２０６において、ＣＰＵ１０５はＳＷ２が押されたか否かを判定する。ＳＷ２が押されていない場合、ステップＳ２０７においてＣＰＵ１０５はＳＷ１が押されているか、解除されたかを判定する。ステップＳ２０７でＳＷ１が押されていると判定された場合、ステップＳ２０６に戻り、再びＳＷ２が押されたか否かが判定される。一方、ＳＷ１が解除されたと判定された場合、ステップＳ２０１に戻る。
【００２４】
ステップＳ２０６においてＳＷ２が押されたと判定された場合、ステップＳ２０３と同様にＣＰＵ１０５は外部表示装置１２０に出力する映像を暗色表示に切り替え、ステップＳ２０９の撮影処理を行う。なお、ステップＳ２０９の撮影処理期間は、本発明の第１の期間の一例である。また、ステップＳ２０４、Ｓ２０９以外の期間が本発明の第２の期間の一例となる。
【００２５】
図９は、ステップＳ２０９の撮影処理の流れを示すフローチャートである。ステップＳ９０１において、ＣＰＵ１０５は撮像素子１０２の電荷をクリアする。続くステップＳ９０２において、ＣＰＵ１０５は撮像素子１０２の電荷蓄積を開始する。
【００２６】
続くステップＳ９０３において、ＣＰＵ１０５はレンズ駆動部１０７を制御してシャッタを開き、撮像素子１０２の露光を開始する。
【００２７】
続くステップＳ９０４において、ＣＰＵ１０５は撮影準備において設定されたデータに従って撮像素子１０２の露光終了を判定する。露光終了と判定した場合、ステップＳ９０５において、ＣＰＵ１０５はレンズ駆動部１０７を制御してシャッタを閉じ、電荷蓄積を終了する。なお、露光終了となるまではステップＳ９０４の判定処理が繰り返し実行される。
【００２８】
続くステップＳ９０６において、撮像素子１０２から電荷信号が読み出される。ステップＳ９０７において、読み出された電荷信号はＡ／Ｄ変換部１０３でデジタル信号に変換され、デジタル信号処理部１０４に渡される。
【００２９】
続くステップＳ９０８において、ＣＰＵ１０５は、ＡＷＢ制御によりホワイトバランスの設定を行う。ホワイトバランスではデジタル信号の各画素の色差を抽出し、積算する。そして、積算された色差データから現在の撮影環境に適したホワイトバランス補正値を算出する。本実施形態のように撮影環境内に異なった色温度の光源があると、ホワイトバランスが適切に設定できないという問題がある。従って、撮影準備時と同様に外部表示装置１２０に暗色表示させ、異なる色温度の光源が存在しないようにすることで適切なホワイトバランスが得られるようにする。また、外部表示装置１２０が発する光は表示される映像が明るいほど、被写体に表示が映りこんでしまう可能性も高くなる。従って、本実施形態のように撮影期間中に外部表示装置１２０に暗色表示させることで撮影画像に映像表示が映りこむことも少なくなる。
【００３０】
続くステップＳ９０９において、ＣＰＵ１０５は、ホワイトバランスの設定が終了すると、デジタル信号処理部１０４にホワイトバランス補正値等によって撮影データに対する演算処理を行わせる。
【００３１】
続くステップＳ９１０において、ＣＰＵ１０５は、メモリ制御部１１２を介してメモリ１１３にデータを書き込む。
【００３２】
上述した撮影処理が終了すると、ステップＳ２１０において、ＣＰＵ１０５は暗色表示をオフにする。
【００３３】
続くステップＳ２１１において、ＣＰＵ１０５は、ＶＲＡＭ制御部１１５を介して撮影した画像データをＶＲＡＭ１１６に書き込む。そして、ＣＰＵ１０５は、ＶＲＡＭ１１６から読み出した画像データをＤ／Ａ変換部１１７を介して外部表示装置１２０に表示する。これにより、撮影画像の確認が可能となる。
【００３４】
このように撮影準備中又は撮影期間中どちらか一方であるかを判断し、暗色表示をすることで被写体への映りこみやホワイトバランスの乱れを軽減することができ、適切な撮影が可能になる。撮影準備中又は撮影期間中どちらか一方であるかをＳＷ１又はＳＷ２が押されたことで自動的に判断するため、撮影者は特別な操作をすることなく適切な撮影ができる。
なお、図２に示す制御は、ＣＰＵ１０５が外部表示装置に映像を出力していると判断した場合に実行される。ＣＰＵ１０５が外部表示装置に映像を出力していないと判断した場合は、映像を暗色表示にする制御を行うことなく、図９に示す制御を実行する。
なお、本実施形態では撮像装置が映像を暗色に切り替えて外部表示装置に送信するようにしたが、暗色とする制御は外部表示装置が行ってもよい。例えば、撮像装置は、撮影準備や撮影動作に入った旨を外部表示装置に通知し、外部表示装置が自らの制御で映像を暗色にしたり、ディスプレイの輝度を落とすなどの制御を行ってもよい。
【００３５】
＜第２の実施形態＞
次に、本発明の第２の実施形態について説明する。本発明の第２の実施形態に係る撮像装置の構成は第１の実施形態に係る撮像装置と同様である。
【００３６】
図６は、本発明の第２の実施形態に係る撮像装置の動作の流れを示すフローチャートである。先ずステップＳ６０１において、ＣＰＵ１０５は外部表示装置１２０に映像出力させる前の状態で撮像素子１０２から電荷信号を読み出す。そしてデジタル信号処理部１０４で各画素の輝度を測光制御部１０８で測定した被写体からの反射光情報から抽出し、メモリ制御部１１２を介してメモリ１１３に書き込む。
【００３７】
続くステップＳ６０２において、ＣＰＵ１０５はライブビュー表示を行うためにＶＲＡＭ１１６の映像を外部映像出力部１１９から外部表示装置１２０に出力する。外部表示装置１２０に映像が表示されると、続くステップＳ６０３において、ＣＰＵ１０５は、ステップＳ６０１と同様にデジタル信号処理部１０４で各画素の輝度の抽出を行わせ、メモリ制御部１１２によりメモリ１１３へ書き込ませる。なお、ステップＳ６０１、Ｓ６０１は本発明の測光手段の処理例である。
【００３８】
続くステップＳ６０４において、ＣＰＵ１０５は、ＳＷ１が押されたか否かを判定する。ＳＷ１が押されていなければステップＳ６０２に戻り、ライブビュー表示が継続される。一方、ＳＷ１が押されていれば、ＣＰＵ１０５は、ステップＳ６０１で取得した輝度情報とステップＳ６０３で取得したスイッチを押す直前の輝度情報とをステップＳ６０５で比較する。ＣＰＵ１０５は、各画素の輝度を比較して、映像出力前後の輝度変化率(映像出力後の輝度／映像出力前の輝度)が最大となる画素を決定する。そして、ＣＰＵ１０５は求められた輝度変化率が基準値よりも大きいかどうかを判断する。映像出力前後の輝度変化率が基準値よりも大きいと判断された場合、ステップＳ６０６においてＣＰＵ１０５は映像出力されている表示を制御する。すなわち、輝度変化率が最大となる画素が映像出力前の輝度になるような補正をかけて、表示の抑制を行う。具体的には、輝度補正値を最大輝度変化率の逆数(映像出力後の輝度／映像出力前の輝度)に設定し、デジタル信号処理部１０４で輝度補正値を用いて演算処理することで輝度を調整したデータをＶＲＡＭ１１６に書き込む。そしてＣＰＵ１０５はＶＲＡＭ１１６のデータを読み出し、外部表示装置１２０に出力する。これにより表示の抑制が可能になる。なお、映像出力前後で輝度変化が基準値よりも小さな場合は、表示の抑制せずにステップＳ６０７へ進む。なお、ステップＳ６０５は、本発明の検出手段の処理例である。
【００３９】
続くステップＳ６０７においてＣＰＵ１０５は撮影準備を行う。ステップＳ６０７の撮影準備は図４のフローチャートに示すとおりであり、第１の実施形態と同様である。
【００４０】
続くステップＳ６０８においてＣＰＵ１０５は映像出力の抑制をオフにし、デジタル信号処理部１０４で処理された撮像素子１０２からのデータをＶＲＡＭ制御部１１５でＶＲＡＭ１１６に書き込む。このＶＲＡＭ１１６に書き込まれたデータを読み出すことで再びライブビュー表示が可能である。
【００４１】
続くステップＳ６０９において、ＣＰＵ１０５はＳＷ２が押されたか否かを判定する。ＳＷ２が押されていない場合、ステップＳ６１０でＣＰＵ１０５はＳＷ１が押されているか、解除されたかを判定する。ステップＳ６１０でＳＷ１が押されていると判定された場合、ステップＳ６０９に戻り、再びＳＷ２が押されたか否かが判定される。一方、ＳＷ１が解除されたと判定された場合、ステップＳ６０２に戻る。
【００４２】
ステップＳ６０９においてＳＷ２が押されたと判定された場合、ステップＳ６１１において、ＣＰＵ１０５はステップＳ６０６で設定された輝度補正値により表示抑制を行うことにより表示の明るさを落とす。続くステップＳ６１２において、ＣＰＵ１０５は撮影処理を行う。
【００４３】
撮影期間が終了すると、ステップＳ６１３において、ＣＰＵ１０５はステップＳ６０２の輝度で映像を出力する。
【００４４】
続くステップＳ６１４において、ＣＰＵ１０５は、メモリ制御部１１２、ＶＲＡＭ制御部１１５を介してメモリ１１３から撮影したデータをＶＲＡＭ１１６に書き込む。そして、ＣＰＵ１０５は、ＶＲＡＭ１１６から読み出した画像データをＤ／Ａ変換部１１７を介して外部表示装置１２０に表示する。これにより、撮影画像の確認が可能となる。
【００４５】
本実施形態における外部表示装置１２０の状態を図7に示す。７１は映像表示制御前の外部表示装置１２０の状態を表している。７２は映像出力を制御した場合の外部表示装置１２０の状態を表している。７２のように輝度を落とした映像を出力することで表示を抑制しながらも撮影準備中又は撮影期間中において外部表示装置１２０で被写体の確認が行える。また、本実施形態では外部表示装置１２０に映像を出力する前後の輝度情報を使ってライブビューの映像出力を制御するため、外部表示装置１２０が撮影に影響を与えないと判断した場合には明るさを抑制することなくライブビュー表示が可能である。このように撮影準備中又は撮影期間中どちらか一方であるかを判断し、輝度情報により映像を制御することで被写体への映りこみやホワイトバランスの乱れを軽減することができ、適切な撮影が可能になる。
【００４６】
ところで、本実施形態においてキャリブレーションモードを新たに設定してもよい。キャリブレーションモードでは操作部１１０に新たにキャリブレーションボタンを設置し、次のような処理をする。
【００４７】
まず、撮影開始前に撮影者はキャリブレーションボタンを押すことにより、ＣＰＵ１０５は、ステップＳ６０１と同様に外部表示装置１２０に映像を出力する前の被写体の反射光から輝度情報を抽出する。次に、ＣＰＵ１０５は、外部表示装置１２０に映像を出力してキャリブレーションボタンで映像出力後の輝度情報を抽出する。これらにより輝度補正値を決定する。この輝度補正値を使うことで、ＳＷ１を押す度に輝度補正値を求めることなく、撮影準備が可能となる。
【００４８】
本実施形態ではＳＷ１の押下で撮影準備状態となり、ＡＥ制御やＡＦ制御を行っている。ＳＷ１が押されるとＡＥ制御に影響を与えないように映像表示が抑制される。つまり、ＳＷ１が押される度に外部表示装置１２０の表示が切り替わる。そこで、ＡＥ制御はＳＷ１とは別のボタンで行い、ＳＷ１の押下ではＡＥ制御を行わないようにしてもよい。ここでは、ＡＥ制御を行うボタンとしてＡＥロックボタンを例に挙げて説明する。
【００４９】
ＡＥロックボタンは、ＡＥ制御の結果を固定する機能と適切な露出を得るために映像出力を抑制する機能とを有する。ＡＥロックボタンで表示を抑制して露出を固定する。表示を元に戻した後、ＳＷ１の押下で撮影準備でＡＦ制御を行う。このようにすると、ＡＥロックボタンで露出を設定するために一度表示を切り替える必要はあるが、ＳＷ１を押す度に表示を切り替えることなく撮影が可能になる。例えば、連続して撮影をする場合にもＳＷ１で映像出力を切り替える必要がなく、常にライブビュー表示を確認しながら撮影ができる。
【００５０】
＜第３の実施形態＞
次に、本発明の第３の実施形態について説明する。本発明の第３の実施形態に係る撮像装置の構成は第１の実施形態に係る撮像装置と同様である。
【００５１】
図８は、本発明の第３の実施形態に係る撮像装置の動作の流れを示すフローチャートである。なお、図８に示す処理のうち、図６と同様な処理は同一符号を付して説明を省略する。
【００５２】
ステップＳ６０５において、ＣＰＵ１０５は、ステップＳ６０１で取得した輝度情報とステップＳ６０３で取得したスイッチを押す直前の輝度情報とを比較する。すなわち、ＣＰＵ１０５は、各画素の輝度を比較して、映像出力前後で輝度変化が基準値よりも大きいかどうか判断する。輝度変化が基準値よりも大きいと判断された場合、ＣＰＵ１０５は、ステップＳ８０１において表示装置選択部１１１により映像表示装置を外部表示装置１２０から内部表示装置１１８へと変更する。これにより、ＶＲＡＭ制御部１１５は、メモリ制御部１１２を介してメモリ１１３から画像データを読み出し、内部表示装置１１８の形式に合わせた画像データをＶＲＡＭ１１６に書き込む。ＶＲＡＭ１１６に書き込まれたデータはＤ／Ａ変換部１１７に読み込まれ、内部表示装置１１８へ出力する。
【００５３】
このように、外部表示装置１２０から内部表示装置１１８に画像データの出力先（送信先）を変更することで被写体は外部表示装置１２０の発光による影響を受ける可能性は低くなり、撮影者は内部表示装置１１８で被写体を確認しながら適切な撮影が可能となる。また、ステップＳ８０２において操作部１１０での外部表示装置１２０の選択操作により外部表示装置１２０に撮影画像を出力して確認することもできる。
【００５４】
＜第４の実施形態＞
次に、本発明の第４の実施形態について説明する。本発明の第４の実施形態に係る撮像装置の構成は第１の実施形態に係る撮像装置と同様である。
【００５５】
図１０は、本発明の第４の実施形態に係る撮像装置の動作の流れを示すフローチャートである。なお、図１０に示す処理のうち、図６と同様な処理は同一符号を付して説明を省略する。
【００５６】
ステップＳ１００１において、ＣＰＵ１０５は、ＶＲＡＭ制御部１１５で全画面暗色表示データと外部表示装置１２０の形式よりも小さなライブビュー表示用データとを合成する。この合成されたデータをＶＲＡＭ制御部１１５でＶＲＡＭ１１６へ書き込む。このＶＲＡＭ１１６に書き込まれたデータを読み出すことで小さなライブビュー表示が外部表示装置１２０の一部の表示領域に出力される。ライブビュー表示以外の表示領域は暗色表示とする。このようにライブビュー表示と暗色表示とを組み合わせることでステップＳ６０７の撮影準備に与える影響を軽減できる。また、ステップＳ１００２では、ステップＳ１００１と同様に外部表示装置１２０の表示を抑制することでステップＳ６１２の撮影処理に影響が出ないようにする。
【００５７】
本実施形態における外部表示装置１２０の状態を図１１に示す。１１０１は映像表示制御前の外部表示装置１２０の状態を表している。１１０２は本実施形態において映像出力を制御した場合の外部表示装置１２０の状態を表している。ライブビュー表示を小さくしながらも撮影準備中又は撮影期間中において外部表示装置１２０で被写体の確認が行える。
【００５８】
また、本実施形態は、第２の実施形態と同様に外部表示装置１２０の映像出力前後の輝度により映像出力を切り替えることができるため、外部表示装置１２０が撮影に影響を与えないと判断した場合にはライブビュー表示が可能である。このように本実施形態では、撮影準備中又は撮影期間中どちらか一方であるかを判断し、輝度情報により映像を制御することで被写体への映りこみやホワイトバランスの乱れを軽減することができ、適切な撮影が可能になる。
【００５９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６０】
１００：レンズ、１０１：絞り、１０２：撮像素子、１０３：Ａ／Ｄ変換部、１０４：デジタル信号処理部、１０５：ＣＰＵ、１０６：絞り制御部、１０７：レンズ駆動部、１０８：測光制御部、１０９：焦点調整部、１１０：操作部、１１１：表示装置選択部、１１２：メモリ制御部、１１３：メモリ、１１４：記録媒体、１１５：ＶＲＡＭ制御部、１１６：ＶＲＡＭ、１１７：Ｄ／Ａ制御部、１１８：内部表示装置、１１９：外部映像出力部、１２０：外部表示装置
【図１】
2011040950.tif 000003
【図２】
2011040950.tif 000004
【図３】
2011040950.tif 000005
【図４】
2011040950.tif 000006
【図５】
2011040950.tif 000007
【図６】
2011040950.tif 000008
【図７】
2011040950.tif 000009
【図８】
2011040950.tif 000010
【図９】
2011040950.tif 000011
【図１０】
2011040950.tif 000012
【図１１】
2011040950.tif 000013